(57)【要約】【課題】貼着形アンテナに直接アンプを取り付ける。【解決手段】ウインドガラスＷに貼付られたアンテナ１の接続端子部に接続されるアンプであって、記アンテナ１の接続端子部３ａに近接した前記ウインドガラスＷまたは前記アンテナ１の少なくとも一方に貼付られるケース９，１０と、ケース９，１０内に設けられたアンプ基板１１と、アンプ基板１１に接続されてケース９，１０の貼着面側に向けて突出可能に付勢され、前記アンテナ１の接続端子部３ａに接触導通する接点ピン１２と、アンプ基板１１に接続され、ケース９，１０を貫通して導出されるケーブル５，６を備えた。【選択図】　　　　図１
0003098997.tif 000002
【実用新案登録請求の範囲】
【請求項１】
取り付け面に貼着されるシートの表面に線状のアンテナ素子が設けられてなるアンテナの接続端子部に接続されるアンプであって、
前記アンテナの接続端子部に近接した前記取り付け面または前記アンテナの少なくとも一方に貼付られるケースと、
前記ケースを前記取り付け面または前記アンテナの少なくとも一方に貼付けて固定する両面テープと、
前記ケース内に設けられたアンプ基板と、
半田を介して前記アンプ基板に導通状態で貫通固定されたスリーブと、スリーブの内部に配置され、その一端より出没可能に挿通されたピン端子と、前記ピン端子の背面に接してピン端子を突出方向に付勢するコイルバネと、スリーブの他端側に固定され、前記コイルバネを前記ピン端子との間に保持する蓋とからなり、ピン端子が前記ケースの貼着面側に向けて突出可能に付勢されて前記アンテナの接続端子部に接触導通する接点ピンと、
を有するアンテナ用アンプ。
【請求項２】
取り付け面に貼着されるシートの表面に線状のアンテナ素子が設けられてなるアンテナの接続端子部に接続されるアンプであって、
前記アンテナの接続端子部に近接した前記取り付け面または前記アンテナの少なくとも一方に貼付られるケースと、
前記ケースを前記取り付け面または前記アンテナの少なくとも一方に貼付けて固定する両面テープと、
前記ケース内に固定されたアンプ基板と、
半田を介して前記アンプ基板に導通状態で貫通固定されたスリーブと、スリーブの内部に配置され、その一端より出没可能に挿通されたピン端子と、前記ピン端子の背面に接してピン端子を突出方向に付勢するコイルバネと、スリーブの他端側に固定され、前記コイルバネを前記ピン端子との間に保持する蓋とからなり、ピン端子が前記ケースの貼着面側に向けて突出可能に付勢されて前記アンテナの接続端子部に接触導通する接点ピンとを有し、
前記アンプ基板に接続されて前記ケースを貫通して導出される太径のフィーダ線及び細径の電源線からなるケーブルが前記ケース内部でクランプ部材により一体に束ねられており、前記クランプ部材は取り付け用タブを備える一方、アンプ基板には前記タブを挿通するためのスリットが形成され、前記タブをスリットに挿通し、これをカシメ付けることによりクランプ部材がアンプ基板上に固定されたことを特徴とするアンテナ用アンプ。
【請求項３】
取り付け面に貼着されるシートの表面に線状のアンテナ素子が設けられてなるアンテナの接続端子部に接続されるアンプであって、
前記アンテナの接続端子部に近接した前記取り付け面または前記アンテナの少なくとも一方に貼付られるケースと、
前記ケースの下面を前記取り付け面または前記アンテナの少なくとも一方に貼付けて固定する両面テープと、
前記ケース内に設けられたアンプ基板と、
半田を介して前記アンプ基板に導通状態で貫通固定されるとともに、前記ケースの下面に形成された貫通孔から前記ケース外に突出し、その板状の先端が前記ケースの下面に貼り付けられた前記両面テープと前記取り付け面または前記アンテナとの間に挟まれて固着されることにより前記アンテナの接続端子部に接続導通される接点部材と、
を有するアンテナ用アンプ。
【請求項４】
取り付け面に貼着されるシートの表面に線状のアンテナ素子が設けられてなるアンテナの接続端子部に接続されるアンプであって、
前記アンテナの接続端子部に近接した前記取り付け面または前記アンテナの少なくとも一方に貼付られるケースと、
前記ケースの下面を前記取り付け面または前記アンテナの少なくとも一方に貼付けて固定する両面テープと、
前記ケース内に設けられたアンプ基板と、
半田を介して前記アンプ基板に導通状態で貫通固定されるとともに、前記ケースの下面に形成された貫通孔から前記ケース外に突出し、その板状の先端が前記ケースの下面に貼り付けられた前記両面テープと前記取り付け面または前記アンテナとの間に挟まれて固着されることにより前記アンテナの接続端子部に接続導通される接点部材とを有し、
前記アンプ基板に接続されて前記ケースを貫通して導出される太径のフィーダ線及び細径の電源線からなるケーブルが前記ケース内部でクランプ部材により一体に束ねられており、前記クランプ部材は取り付け用タブを備える一方、アンプ基板には前記タブを挿通するためのスリットが形成され、前記タブをスリットに挿通し、これをカシメ付けることによりクランプ部材がアンプ基板上に固定されたことを特徴とするアンテナ用アンプ。
【請求項５】
取り付け面に直接貼着される線状のアンテナ素子単体で構成されるアンテナの接続端子部に接続されるアンプであって、
前記アンテナの接続端子部に近接した前記取り付け面または前記アンテナの少なくとも一方に貼付られるケースと、
前記ケースを前記取り付け面または前記アンテナの少なくとも一方に貼付けて固定する両面テープと、
前記ケース内に設けられたアンプ基板と、
半田を介して前記アンプ基板に導通状態で貫通固定されたスリーブと、スリーブの内部に配置され、その一端より出没可能に挿通されたピン端子と、前記ピン端子の背面に接してピン端子を突出方向に付勢するコイルバネと、スリーブの他端側に固定され、前記コイルバネを前記ピン端子との間に保持する蓋とからなり、ピン端子が前記ケースの貼着面側に向けて突出可能に付勢されて前記アンテナの接続端子部に接触導通する接点ピンと、
を有するアンテナ用アンプ。
【請求項６】
取り付け面に直接貼着される線状のアンテナ素子単体で構成されるアンテナの接続端子部に接続されるアンプであって、
前記アンテナの接続端子部に近接した前記取り付け面または前記アンテナの少なくとも一方に貼付られるケースと、
前記ケースを前記取り付け面または前記アンテナの少なくとも一方に貼付けて固定する両面テープと、
前記ケース内に固定されたアンプ基板と、
半田を介して前記アンプ基板に導通状態で貫通固定されたスリーブと、スリーブの内部に配置され、その一端より出没可能に挿通されたピン端子と、前記ピン端子の背面に接してピン端子を突出方向に付勢するコイルバネと、スリーブの他端側に固定され、前記コイルバネを前記ピン端子との間に保持する蓋とからなり、ピン端子が前記ケースの貼着面側に向けて突出可能に付勢されて前記アンテナの接続端子部に接触導通する接点ピンとを有し、
前記アンプ基板に接続されて前記ケースを貫通して導出される太径のフィーダ線及び細径の電源線からなるケーブルが前記ケース内部でクランプ部材により一体に束ねられており、前記クランプ部材は取り付け用タブを備える一方、アンプ基板には前記タブを挿通するためのスリットが形成され、前記タブをスリットに挿通し、これをカシメ付けることによりクランプ部材がアンプ基板上に固定されたことを特徴とするアンテナ用アンプ。
【請求項７】
取り付け面に直接貼着される線状のアンテナ素子単体で構成されるアンテナの接続端子部に接続されるアンプであって、
前記アンテナの接続端子部に近接した前記取り付け面または前記アンテナの少なくとも一方に貼付られるケースと、
前記ケースの下面を前記取り付け面または前記アンテナの少なくとも一方に貼付けて固定する両面テープと、
前記ケース内に設けられたアンプ基板と、
半田を介して前記アンプ基板に導通状態で貫通固定されるとともに、前記ケースの下面に形成された貫通孔から前記ケース外に突出し、その板状の先端が前記ケースの下面に貼り付けられた前記両面テープと前記取り付け面または前記アンテナとの間に挟まれて固着されることにより前記アンテナの接続端子部に接続導通される接点部材と、
を有するアンテナ用アンプ。
【請求項８】
取り付け面に直接貼着される線状のアンテナ素子単体で構成されるアンテナの接続端子部に接続されるアンプであって、
前記アンテナの接続端子部に近接した前記取り付け面または前記アンテナの少なくとも一方に貼付られるケースと、
前記ケースの下面を前記取り付け面または前記アンテナの少なくとも一方に貼付けて固定する両面テープと、
前記ケース内に設けられたアンプ基板と、
半田を介して前記アンプ基板に導通状態で貫通固定されるとともに、前記ケースの下面に形成された貫通孔から前記ケース外に突出し、その板状の先端が前記ケースの下面に貼り付けられた前記両面テープと前記取り付け面または前記アンテナとの間に挟まれて固着されることにより前記アンテナの接続端子部に接続導通される接点部材とを有し、
前記アンプ基板に接続されて前記ケースを貫通して導出される太径のフィーダ線及び細径の電源線からなるケーブルが前記ケース内部でクランプ部材により一体に束ねられており、前記クランプ部材は取り付け用タブを備える一方、アンプ基板には前記タブを挿通するためのスリットが形成され、前記タブをスリットに挿通し、これをカシメ付けることによりクランプ部材がアンプ基板上に固定されたことを特徴とするアンテナ用アンプ。
【考案の詳細な説明】
【０００１】
【考案の属する技術分野】
本考案は、例えば自動車のウインドガラスなどに貼着して使用するアンテナに係り、特に該アンテナに用いて好適なアンテナ用アンプに関する。
【０００２】
【従来の技術】
従来、下記特許文献１に例示するように、ラジオ電波、テレビ電波などの電波を受信するために、自動車のウインドガラスに貼着するシート形アンテナが知られている。
一般に、シート形アンテナは、基材シートの一面に導電性部材からなるアンテナ素子が形成されているものである。この種のシート形アンテナは、自動車の外部に装着するロッド形アンテナと比較すると、自動車外に突出せず、かつ車室内からの視覚の邪魔にならないため、好適であるとされている。
【０００３】
【特許文献１】
特開２００１−２５７５１７号
【０００４】
【考案が解決しようとする課題】
しかし、シート形アンテナは車室内に装着されているため、弱電界での受信条件が悪く、受信信号を増幅するアンプの使用が望まれている。ここでロッド形アンテナでアンプを使用する場合には、アンテナ素子の支持部分にアンプを装着し、アンテナ素子と受信機側に接続されるアンテナフィーダとの間にアンプを介在して接続している。
【０００５】
ところが、シート形アンテナの場合には、アンテナ素子の支持部、すなわち基材シートにアンプを装着することが難しかった。このためシート形アンテナを使用する際には、アンプを内蔵した受信機を使用することになる。しかしながら、この場合には、アンテナの性能を受信機の性能にゆだねなければならない問題がある。
【０００６】
また受信機にアンテナが内蔵されていない場合には、シート形アンテナと受信機との間を接続するアンテナフィーダにアンプを介在させて接続することになる。しかし、この場合にはシート形アンテナの多くはリアまたはフロントウインドガラスに貼着されており、そこから自動車内部側にある受信機側まで引き回されるフィーダの中途部分にアンプが介在されることとなり、アンプの設置場所の設定や、アンテナフィーダの取り回しに制限が生ずる問題があった。
【０００７】
そこで、本考案は、上記の問題を解決するために、貼着形アンテナに直接アンプを取り付けることができるようにしたアンテナ用アンプを提供するものである。
【０００８】
【課題を解決するための手段】
請求項１に記載されたアンテナ用アンプは、取り付け面に貼着されるシートの表面に線状のアンテナ素子が設けられてなるアンテナの接続端子部に接続されるアンプであって、
前記アンテナの接続端子部に近接した前記取り付け面または前記アンテナの少なくとも一方に貼付られるケースと、
前記ケースを前記取り付け面または前記アンテナの少なくとも一方に貼付けて固定する両面テープと、
前記ケース内に設けられたアンプ基板と、
半田を介して前記アンプ基板に導通状態で貫通固定されたスリーブと、スリーブの内部に配置され、その一端より出没可能に挿通されたピン端子と、前記ピン端子の背面に接してピン端子を突出方向に付勢するコイルバネと、スリーブの他端側に固定され、前記コイルバネを前記ピン端子との間に保持する蓋とからなり、ピン端子が前記ケースの貼着面側に向けて突出可能に付勢されて前記アンテナの接続端子部に接触導通する接点ピンと、
を有している。
【０００９】
したがって請求項１記載の考案によれば、前記アンプはシート貼着形アンテナに対応でき、ケースを貼付けるだけでアンテナ側の接続端子部とアンプ側との電気的接続が可能となり、取付が簡単に行える。また、ピン端子が常時アンテナ側接続端子部を押圧付勢しているため、確実な電気的接続を得ることができる。さらに、スリーブの物理的固定と電気的導通の双方を確実にすることができる。
【００１０】
請求項２に記載されたアンテナ用アンプは、取り付け面に貼着されるシートの表面に線状のアンテナ素子が設けられてなるアンテナの接続端子部に接続されるアンプであって、
前記アンテナの接続端子部に近接した前記取り付け面または前記アンテナの少なくとも一方に貼付られるケースと、
前記ケースを前記取り付け面または前記アンテナの少なくとも一方に貼付けて固定する両面テープと、
前記ケース内に固定されたアンプ基板と、
前記アンプ基板に接続されて前記ケースを貫通して導出される太径のフィーダ線及び細径の電源線からなるケーブルが前記ケース内部でクランプ部材により一体に束ねられており、前記クランプ部材は取り付け用タブを備える一方、アンプ基板には前記タブを挿通するためのスリットが形成され、前記タブをスリットに挿通し、これをカシメ付けることによりクランプ部材がアンプ基板上に固定されたことを特徴とする。
【００１１】
したがって、請求項２の考案によれば、請求項１の考案による効果に加え、径の不揃いなケーブルをコンパクトにまとめて配線でき、ケーブルの引き抜き方向の力による内部回路との接続不具合を防止できる。
【００１２】
請求項３に記載されたアンテナ用アンプは、取り付け面に貼着されるシートの表面に線状のアンテナ素子が設けられてなるアンテナの接続端子部に接続されるアンプであって、
前記アンテナの接続端子部に近接した前記取り付け面または前記アンテナの少なくとも一方に貼付られるケースと、
前記ケースの下面を前記取り付け面または前記アンテナの少なくとも一方に貼付けて固定する両面テープと、
前記ケース内に設けられたアンプ基板と、
半田を介して前記アンプ基板に導通状態で貫通固定されるとともに、前記ケースの下面に形成された貫通孔から前記ケース外に突出し、その板状の先端が前記ケースの下面に貼り付けられた前記両面テープと前記取り付け面または前記アンテナとの間に挟まれて固着されることにより前記アンテナの接続端子部に接続導通される接点部材と、
を有することを特徴としている。
【００１３】
したがって請求項３記載の考案によれば、前記アンプはシート貼着形アンテナに対応でき、ケースを貼付けるだけでアンテナ側の接続端子部とアンプ側との電気的接続が可能となり、取付が簡単に行える。また、アンプ基板に確実に接続導通された接点部材はケース外に導出され、その板状の先端がケース下面の両面テープと取り付け面との間に挟まれて固着されるのでアンテナの接続端子部に対する確実な電気的接続を得ることができる。
【００１４】
請求項４に記載されたアンテナ用アンプは、取り付け面に貼着されるシートの表面に線状のアンテナ素子が設けられてなるアンテナの接続端子部に接続されるアンプであって、
前記アンテナの接続端子部に近接した前記取り付け面または前記アンテナの少なくとも一方に貼付られるケースと、
前記ケースの下面を前記取り付け面または前記アンテナの少なくとも一方に貼付けて固定する両面テープと、
前記ケース内に設けられたアンプ基板と、
半田を介して前記アンプ基板に導通状態で貫通固定されるとともに、前記ケースの下面に形成された貫通孔から前記ケース外に突出し、その板状の先端が前記ケースの下面に貼り付けられた前記両面テープと前記取り付け面または前記アンテナとの間に挟まれて固着されることにより前記アンテナの接続端子部に接続導通される接点部材とを有し、
前記アンプ基板に接続されて前記ケースを貫通して導出される太径のフィーダ線及び細径の電源線からなるケーブルが前記ケース内部でクランプ部材により一体に束ねられており、前記クランプ部材は取り付け用タブを備える一方、アンプ基板には前記タブを挿通するためのスリットが形成され、前記タブをスリットに挿通し、これをカシメ付けることによりクランプ部材がアンプ基板上に固定されたことを特徴としている。
【００１５】
したがって、請求項４の考案によれば、請求項３の考案による効果に加え、径の不揃いなケーブルをコンパクトにまとめて配線でき、ケーブルの引き抜き方向の力による内部回路との接続不具合を防止できる。
【００１６】
請求項５に記載されたアンテナ用アンプは、取り付け面に直接貼着される線状のアンテナ素子単体で構成されるアンテナの接続端子部に接続されるアンプであって、
前記アンテナの接続端子部に近接した前記取り付け面または前記アンテナの少なくとも一方に貼付られるケースと、
前記ケースを前記取り付け面または前記アンテナの少なくとも一方に貼付けて固定する両面テープと、
前記ケース内に設けられたアンプ基板と、
半田を介して前記アンプ基板に導通状態で貫通固定されたスリーブと、スリーブの内部に配置され、その一端より出没可能に挿通されたピン端子と、前記ピン端子の背面に接してピン端子を突出方向に付勢するコイルバネと、スリーブの他端側に固定され、前記コイルバネを前記ピン端子との間に保持する蓋とからなり、ピン端子が前記ケースの貼着面側に向けて突出可能に付勢されて前記アンテナの接続端子部に接触導通する接点ピンと、
を有している。
【００１７】
したがって請求項５記載の考案によれば、前記アンプは取り付け面に直接貼着される線状のアンテナ素子単体で構成されるアンテナにに対応でき、ケースを貼付けるだけでアンテナ側の接続端子部とアンプ側との電気的接続が可能となり、取付が簡単に行える。また、ピン端子が常時アンテナ側接続端子部を押圧付勢しているため、確実な電気的接続を得ることができる。さらに、スリーブの物理的固定と電気的導通の双方を確実にすることができる。
【００１８】
請求項６に記載されたアンテナ用アンプは、取り付け面に直接貼着される線状のアンテナ素子単体で構成されるアンテナの接続端子部に接続されるアンプであって、
前記アンテナの接続端子部に近接した前記取り付け面または前記アンテナの少なくとも一方に貼付られるケースと、
前記ケースを前記取り付け面または前記アンテナの少なくとも一方に貼付けて固定する両面テープと、
前記ケース内に固定されたアンプ基板と、
半田を介して前記アンプ基板に導通状態で貫通固定されたスリーブと、スリーブの内部に配置され、その一端より出没可能に挿通されたピン端子と、前記ピン端子の背面に接してピン端子を突出方向に付勢するコイルバネと、スリーブの他端側に固定され、前記コイルバネを前記ピン端子との間に保持する蓋とからなり、ピン端子が前記ケースの貼着面側に向けて突出可能に付勢されて前記アンテナの接続端子部に接触導通する接点ピンとを有し、
前記アンプ基板に接続されて前記ケースを貫通して導出される太径のフィーダ線及び細径の電源線からなるケーブルが前記ケース内部でクランプ部材により一体に束ねられており、前記クランプ部材は取り付け用タブを備える一方、アンプ基板には前記タブを挿通するためのスリットが形成され、前記タブをスリットに挿通し、これをカシメ付けることによりクランプ部材がアンプ基板上に固定されたことを特徴とする。
【００１９】
したがって、請求項６の考案によれば、請求項５の考案による効果に加え、径の不揃いなケーブルをコンパクトにまとめて配線でき、ケーブルの引き抜き方向の力による内部回路との接続不具合を防止できる。
【００２０】
請求項７に記載されたアンテナ用アンプは、取り付け面に直接貼着される線状のアンテナ素子単体で構成されるアンテナの接続端子部に接続されるアンプであって、
前記アンテナの接続端子部に近接した前記取り付け面または前記アンテナの少なくとも一方に貼付られるケースと、
前記ケースの下面を前記取り付け面または前記アンテナの少なくとも一方に貼付けて固定する両面テープと、
前記ケース内に設けられたアンプ基板と、
半田を介して前記アンプ基板に導通状態で貫通固定されるとともに、前記ケースの下面に形成された貫通孔から前記ケース外に突出し、その板状の先端が前記ケースの下面に貼り付けられた前記両面テープと前記取り付け面または前記アンテナとの間に挟まれて固着されることにより前記アンテナの接続端子部に接続導通される接点部材と、
を有することを特徴としている。
【００２１】
したがって請求項７記載の考案によれば、前記アンプは取り付け面に直接貼着される線状のアンテナ素子単体で構成されるアンテナにに対応でき、ケースを貼付けるだけでアンテナ側の接続端子部とアンプ側との電気的接続が可能となり、取付が簡単に行える。また、アンプ基板に確実に接続導通された接点部材はケース外に導出され、その板状の先端がケース下面の両面テープと取り付け面との間に挟まれて固着されるのでアンテナの接続端子部に対する確実な電気的接続を得ることができる。
【００２２】
請求項８に記載されたアンテナ用アンプは、取り付け面に直接貼着される線状のアンテナ素子単体で構成されるアンテナの接続端子部に接続されるアンプであって、
前記アンテナの接続端子部に近接した前記取り付け面または前記アンテナの少なくとも一方に貼付られるケースと、
前記ケースの下面を前記取り付け面または前記アンテナの少なくとも一方に貼付けて固定する両面テープと、
前記ケース内に設けられたアンプ基板と、
半田を介して前記アンプ基板に導通状態で貫通固定されるとともに、前記ケースの下面に形成された貫通孔から前記ケース外に突出し、その板状の先端が前記ケースの下面に貼り付けられた前記両面テープと前記取り付け面または前記アンテナとの間に挟まれて固着されることにより前記アンテナの接続端子部に接続導通される接点部材とを有し、
前記アンプ基板に接続されて前記ケースを貫通して導出される太径のフィーダ線及び細径の電源線からなるケーブルが前記ケース内部でクランプ部材により一体に束ねられており、前記クランプ部材は取り付け用タブを備える一方、アンプ基板には前記タブを挿通するためのスリットが形成され、前記タブをスリットに挿通し、これをカシメ付けることによりクランプ部材がアンプ基板上に固定されたことを特徴としている。
【００２３】
したがって、請求項８の考案によれば、請求項７の考案による効果に加え、径の不揃いなケーブルをコンパクトにまとめて配線でき、ケーブルの引き抜き方向の力による内部回路との接続不具合を防止できる。
【００２４】
【考案の実施の形態】
本考案の好ましい実施の形態の第一例を図１〜図７を用いて説明する。
図１は本考案に係るアンプをシート形アンテナに取り付けた状態を示す平面図、図２はアンプの部品構成例を示す分解斜視図、図３はアンプの下ケースを示す詳細説明図、図４は同上ケースを示す詳細図、図５は同クランプ部材の斜視図、図６は同クランプ部材とケーブルとの取り付け関係を示す一部拡大部分を含む詳細図、図７は組み立てられたアンプとシート形アンテナとの接続関係を示す断面図である。
【００２５】
まず図１において、シート形アンテナ１は二つ一組であって、自動車のリアまたはフロントウインドガラスの内面に強粘着剤などを介して左右対称に貼着される透明なシート２と、それぞれのシート２の表面に適宜な這い回しパターンで貼着された二本のアンテナ素子３とからなっている。
【００２６】
各シート２は凹状のパターンでカッティングされたものであり、アンテナ素子３のうちの一方はその凹状パターンに沿って這い回され、他方は途中でＵ字形に折り返されたパターンで這い回され、いずれもその端部は図示しないピラー側の立ち上げ位置で平行となり、ピラー近傍の上部位置で矩形状の比較的広い面積の接続端子部３ａを形成している。
【００２７】
また各接続端子部３ａはこの位置に固定されたアンテナ用アンプ４に接続し、アンプ４を介して太径の一対のフィーダケーブル５および細径の一対の電源ケーブル６に接続している。
【００２８】
これらフィーダケーブル５および電源ケーブル６は、リアピラーの内部から車体内に引き込まれ、車室前部側にあるチューナにフィーダコネクタ７および電源コネクタ８を介して接続される。
【００２９】
アンプ４は平坦かつコンパクトな外形であって、ピラー上部の隅角部に装着されるため、視界の妨げを最小に押さえることができる。
このアンプ４の部品構成は、図２に示すように、下ケース９と、下ケース９に嵌め付け固定される上ケース１０と、ケース９，１０間に狭持状態に固定されるアンプ基板１１と、基板１１の両側にあってこれを貫通した状態に予め取り付けられた一対の接点ピン１２および下ケース９をアンテナ１のシート面に固着するための両面テープ１４とにより構成され、接点ピン１２の配置間隔はアンテナ素子３の端子部３ａの配置間隔に対応している。
【００３０】
上下のケース９，１０の一側部にはこれを互いに嵌めつけた状態で各ケーブル５，６の平行配列による断面形状の開口部が形成され、ケーブル５，６を挿通できるようにしている。
【００３１】
各ケーブル５，６の先端部はクランプ具１５により束ねられており、またこのクランプ具１５の下部に設けた後述するタブを基板１１に嵌め付け固定することで、各ケーブル５，６を基板１１に固定し、それぞれの心線に直接引き抜き力が加わることを防止している。
【００３２】
次に、以上のアンプ４における前記各構成部品の詳細を説明する。
前記下ケース９は同図２および図３に示す構成となっている。
この下ケース９は、ＡＢＳなどの樹脂成形体であって平面視略太鼓形の平板状であって、その一側部中央に前記上ケース１０の開口部下部に嵌めつけられる突片１６が突出状態に立設され、この突片１６奥部は前記太鼓型の面内にまたがって開口部１７が形成されている。
【００３３】
突片１６の上部には、前記上ケース１０との嵌め付けにより、ケーブル５，６の挿通用の開口部を形成する凹状の切欠きが形成されている。
太鼓形の面内にあって、その中央左右には前記アンプ基板１１の取付用の一対の半割状突起１８が立設され、さらにその左右には、前記接点ピン１２の挿通用の一対の孔１９が開口されている。半割状突起１８は前記基板１１の挿通時に弾性縮小し、この反発弾性によって基板１１を強固に固定するためである。
【００３４】
また、孔１６の上部は皿状に拡開され、前記接点ピン１２の挿通を容易としている。
さらに、下ケース９の側部には、前記上ケース１０を嵌めつけた状態で抜け止め固定するための複数の係止爪２０がその爪片を下向にして突設されている。
【００３５】
次に前記上ケース１０は、図２および図４に示す構成となっている。
この上ケース１０は、前記下ケース９の外周に嵌め合わされる底部開口した中央が最も高く、両側に向けてなだらかに傾斜する浅底容器状をなし、かつ平面視太鼓形で、その一側部中央に前記ケーブル受入用の突起部２１を突設し、突起部２１の後部側が太鼓状の曲面に連続させている。
【００３６】
突起部２１の下部、すなわち開口部位置においては前記各ケーブル５，６の集合形状に応じた凹凸曲面の切欠が形成されている。
そして、上ケース１０の内面には前後合わせて４つの基板押さえ用のリブ２２が突設されている。さらに上ケースの内側側面には前記下ケース９側の各係止爪２０を受け入れるための複数の係止溝２３が形成されている。
【００３７】
したがって、下ケース９に上ケース１０をはめ込んだ状態では、係止爪２０に係止溝が弾発的に嵌合し、両者の係合により容易にははずれないようになっている。また、正確な嵌め合い状態は弾発音によって容易に確認できる。
【００３８】
前記基板１１は図２に示すように、前記下ケース９の内側部形状に沿ってエポキシ樹脂板、ベーク板のごとき絶縁板を打ち抜き成形されたものであり、その上下面には図示しない導電パターンが印刷されているとともに、その上面には回路を構成する図示しない各素子が配置接続されている。
【００３９】
そして中央前部には、前記クランプ具１５のタブを挿通するためのスリット２４が開口され、その後部には前記開口部１７上に位置する放熱孔２５が開口され、中央部左右には前記突起１８に嵌合する一対の取付孔２６が開口され、さらにその左右には前記接点ピン１４を貫通状態に固定する一対の嵌合孔２７が開口されている。
【００４０】
この嵌合孔２７の周囲には図示しないが、導電パターンの一部で包囲され、この導電パターンに半田２８を介して予め接点ピン１２が固定され、このもの自体の取付と電気的接続を確保している。
【００４１】
接点ピン１２は、図２の一部に拡大して示すように、基板１１に半田２８を介して導通状態で貫通固定されたスリーブ２９と、スリーブ２９の内部に配置され、その下端より出没可能に挿通されたピン端子３０と、ピン端子３０の上部フランジ３０ａに接してピン端子３０を突出方向に付勢するコイルバネ３１と、スリーブ２９の上端に固定され、前記コイルバネ３１を前記ピン端子３０との間に圧縮状態に保持する蓋３２とからなっている。
【００４２】
いずれの部材も金属など導電材料からなり、ピン端子３０の先端が前記アンテナ素子３の端子部３ａに接触することで後退しつつ所定の接触圧力で導通状態を保持するようになっている。
【００４３】
前記両面テープ１４は、図２に示すごとく、例えば弾性を有する所定厚みのウレタン発泡樹脂シートの両面に強粘着層を含浸させ、さらにその両面に剥離紙を貼り付けたシートを打ち抜き形成したものであって、その輪郭は前記下ケース９と同一平面形状で、面内両側には前記ピン端子３０を挿通するための一対の孔３２を打ち抜き形成している。
【００４４】
なお、図２では分解図として下ケース９とは分離して描かれているが、予め一面側の剥離紙を取って下ケース９の下面に固定しておき、アンプ４の貼着時に、他面側剥離紙を取って前記端子部３ａに向けて位置決め接着するようになっていることはいうまでもない。
【００４５】
次に前記クランプ具１５について、図５，６を用いて説明する。図５（ａ）において、クランプ具１５は、厚み約０．５ｍｍの鋼板などの金属薄板を板金プレス加工によって成形したもので、幅約３ｍｍ程度であり、断面略コ字形をなし、その両側の折曲げ部分をカシメ片３３，３４としている。またこのクランプ具１５の中央片３５の一側縁部に前記スリット２４に挿通される前述のタブ３６を立設している。
【００４６】
タブ３６はスリット２４に対する挿通作業性を考慮して先端両側を円弧状に形成しているとともに、基板１１の裏面側へのカシメ作業時における折曲げ性確保のためにタブ３６の両側部は凹状に形成されている。
【００４７】
また一方のカシメ片３３は他方のカシメ片３４より長く、このカシメ片３３を図５（ｂ）に示すように、太径のフィーダケーブル５側に位置させ、他方のカシメ片３４を細径の電源ケーブル６に位置させ、裏面側からカシメつけることにより、図５（ｃ）に示すように、各ケーブル５，６の先端側を平行に位置させた状態で緊縛する。
【００４８】
図６はカシメ状態におけるカシメ片３３，３４を裏面側からみた状態とその断面を示すもので、中央片３５側で各ケーブル５，６を同一面上に位置させて並列状態に強固に固定している。
【００４９】
従って、以上のごとくケーブル５，６に組付けられたクランプ具１５のタブ３６を基板１１のスリット２４に差し込み、その下部突出側を折り曲げて基板１１にカシメ付けることで、ケーブル５，６に引っ張り力が加わったとしても、先端側の心線には直接引っ張り力が加わらず、基板１１側の回路との接続位置における断線、引き抜きなどの接続不良の発生を防止できることになる。
【００５０】
加えて、ケース９，１０を嵌め合わせた状態では、それぞれの突片１６および突起部２１の間で挟み込まれるため、さらに心線の接続上の影響が小さなものとなる。
【００５１】
図７は以上のアンプ４の組立状態を示すもので、まず（ａ）に示すごとく、非貼着状態においてはアンプ４のピン端子３０は、剥離紙を取り去った両面テープ１４の下部に突出しており、シート２上の各アンテナ素子３の接続端子部３ａと対向している。なお、図中符号Ｗは前記シート２を貼着したリアまたはフロントウィンドガラスである。
【００５２】
この状態から（ｂ）に示すように、シート２上に位置決め固定することで、両面粘着テープ１４の強い接着力により、アンプ４そのものがアンテナ１に強固に固着され、ピン端子３０の先端は接続端子部３ａと接触した状態でスリーブ２９内に没入するが、前記バネ３１の反発弾性により常時接続端子部３ａを押圧し、これによって常時一定の接触圧力により確実に接続を得ることになる。
【００５３】
図８は本考案の好ましい実施の形態の第二例を示している。本実施の形態で用いているアンプ４は第一例と同じであり、アンテナ４０そのものが左右対象のそれぞれ二本のアンテナ素子４１で構成され、これを直接リアまたはフロントウインドガラスに貼着している点のみが異り、そのピラー側に形成された端子部４１ａの位置に前記アンプ４を取り付けると同時にピン端子３０による接続を行うものである。
【００５４】
従って本例では、前記第一例と同一効果を得られるほか、シート２の介在がないため、シート２の貼着による気泡の残留や、シート２の面内における視覚映像のゆがみが生ずることがなく、視認性が向上する。
【００５５】
図９及び図１０は本考案の好ましい実施の形態の第三例であるアンテナ用アンプ４ａを示している。以上説明した例では、アンテナの接続端子部３ａ，４１ａには接点ピン１２が付勢されて接続されたが、本例では、略Ｌ字形折り曲げて成形された板状の接点部材５０が、両面テープ１４によってアンテナ１，４０の接続端子部３ａ，４１ａに接続される。
【００５６】
図１０に示すように、接点部材５０はＬ字形の上端部に差し込み片５１が形成され、図９に示すようにアンプ基板１１に形成されたスリット状の貫通した取り付け孔１１ａに差し込まれてアンプ基板１１の配線に導通するように半田２８で固定される。接点部材５０は、直角に折り曲げられて下ケース９の下面に形成された孔から下方に導出され、下ケース９外に突出した板状の先端５２が、下ケース９の下面に貼り付けられた両面テープ１４と取り付け面（またはアンテナ）との間に挟まれ、両方に面で粘着して固定されることにより、アンテナ１，４０の接続端子部３ａ，４１ａに確実に接続導通される。
【００５７】
図９に示すように、ケース９，１０内におけるフィーダ線５と電源線６のクランプ具１５による保持構造は第１の例と同一である。その他、第１の例と同一の部分については同一の符号を付して説明を省略する。
【００５８】
本例によれば、アンプ基板１１に確実に取り付けられて接続導通された接点部材５０は、ケース９，１０外に導出された先端５２が平坦な板状になっており、この板状の部分がケース９の下面の両面テープ１４と取り付け面との間に挟まれて固着されるので、接点部材５０とアンテナ１，４０の接続端子部３ａ，４１ａとの電気的接続は確実である。
【００５９】
以上説明した各例では、自動車のリアまたはフロントウインドガラスに貼着するアンテナに適用した場合を例示したが、アンテナそのものおよびアンプの取り付け対象は自動車だけでなく他のガラス窓でもよいし、またガラス面でなくてもよい。
【００６０】
例えば、取り付け対象としては自動車以外の工業製品やその部品、移動式又は設置型の設備、構造物、家屋・ビル等の建造物やその一部分でもよい。これら取り付け対象の取り付け面としては、粘着層による貼付が可能な面であればガラス以外の無機質面でもよく、平面か曲面かを問わない。
【００６１】
【考案の効果】
以上の説明により明らかなように、本考案によるアンテナ用アンプによれば、貼着形アンテナに直接アンプを取り付けることができ、アンプとアンテナとの電気的接続が確実である。
【図面の簡単な説明】
【図１】本考案の第一の実施形態を示し、アンプをシート形アンテナに取り付けた状態の全体構成を示す正面図である。
【図２】アンプの部品構成例を示す分解斜視図である。
【図３】アンプの下ケースの詳細を示す各側面図およびそのＡ−Ａ線およびＢ−Ｂ線断面図である。
【図４】同上ケースの詳細を示す各側面図およびそのＣ−Ｃ線およびＤ−Ｄ線断面図である。
【図５】（ａ）ないし（ｃ）はケーブルとコードとの取付関係を示す斜視図である。
【図６】同取付状態を示す側面図および正面図である。
【図７】（ａ），（ｂ）は組立てたアンプとアンテナ素子との取付および接続関係を示す断面図である。
【図８】本考案の第二の実施形態を示し、アンプをアンテナ素子単体からなる直接貼着形アンテナに取り付けた状態の全体構成を示す正面図である。
【図９】本考案の第三の実施形態を示すケース部分の断面図である。
【図１０】（ａ）は本考案の第三の実施形態における接点部材の平面図、（ｂ）は同右側面図、（ｃ）は同正面図である。
【符号の説明】
１，４０　貼着形アンテナ
２　シート
３，４１　アンテナ素子
３ａ，４１ａ　接続端子
５　フィーダケーブル（フィーダ線）
６　電源ケーブル（電源線）
９　下ケース
１０　上ケース
１１　アンプ基板
１２　接点ピン
１４　両面テープ
２８　半田
２９　スリーブ
３０　ピン端子
３１　コイルバネ
５０　接点部材
５２　接点部材の先端
Ｗ　ウインドガラス（取付面）
【図１】
0003098997.tif 000003
【図２】
0003098997.tif 000004
【図３】
0003098997.tif 000005
【図４】
0003098997.tif 000006
【図５】
0003098997.tif 000007
【図６】
0003098997.tif 000008
【図７】
0003098997.tif 000009
【図８】
0003098997.tif 000010
【図９】
0003098997.tif 000011
【図１０】
0003098997.tif 000012